(57)【要約】【課題】本発明は使用者の体重を利用して走行エネルギーにして、効率よく走行することができるとともに、駆動車輪での走行および惰性による走行とで、従来にない面白味のある走行が可能なローラースケートを得るにある。【解決手段】前後部に車輪が取付けられた車輪支持体と、この車輪支持体の後部に上方へ上部が開口するように固定されたほぼチャンネル状の支持台と、この支持台の上部寄りの部位に中央部よりも後方寄りの部位より上方へ突出する支持片の上部寄りの部位を枢支ピンによって回動可能に枢支された靴支持板と、この靴支持板に取付けられた靴支持具と、前記靴支持板の前方を下方へ回動させることにより、前記前部車輪あるいは後部車輪を駆動させる駆動手段とでローラースケートを構成している。【選択図】  図５
2004148041.tif 000002
【特許請求の範囲】
【請求項１】
前後部に車輪が取付けられた車輪支持体と、この車輪支持体の後部に上方へ上部が開口するように固定されたほぼチャンネル状の支持台と、この支持台の上部寄りの部位に中央部よりも後方寄りの部位より上方へ突出する支持片の上部寄りの部位を枢支ピンによって回動可能に枢支された靴支持板と、この靴支持板に取付けられた靴支持具と、前記靴支持板の前方を下方へ回動させることにより、前記前部車輪あるいは後部車輪を駆動させる駆動手段とからなることを特徴とするローラースケート。
【請求項２】
前後部に車輪が取付けられた車輪支持体と、この車輪支持体の後部に上方へ上部が開口するように固定されたほぼチャンネル状の支持台と、この支持台の上部寄りの部位に中央部よりも後方寄りの部位より上方へ突出する支持片の上部寄りの部位を枢支ピンによって回動可能に枢支された靴支持板と、この靴支持板に取付けられた靴支持具と、前記靴支持板の前方を下方へ回動させることにより、該靴支持板の底面に取付けられたラックと噛み合うピニオンの回転を前記車輪支持体に取付けられた回転伝達手段によって前記前部車輪あるいは後部車輪を駆動させる駆動手段とからなることを特徴とするローラースケート。
【請求項３】
前後部に車輪が取付けられた車輪支持体と、この車輪支持体の後部に上方へ上部が開口するように固定されたほぼチャンネル状の支持台と、この支持台の上部寄りの部位に中央部よりも後方寄りの部位が枢支ピンによって回動可能に枢支された靴と、この靴の前方を下方へ回動させることにより、前記前部車輪あるいは後部車輪を駆動させる駆動手段とからなることを特徴とするローラースケート。
【請求項４】
駆動手段は靴支持板あるいは靴の底面に、前後方向に位置するように固定されたラックと、このラックと噛み合うピニオンが先端部に取付けられた後端部が車輪支持体に枢支された回動アーム、この回動アームに先端部を常時後方に位置するように付勢する付勢スプリング、前記ピニオンの回転を前部車輪あるいは後部車輪へ伝達する回転伝達手段とで構成されていることを特徴とする請求項１ないし３記載のローラースケート。
【請求項５】
駆動手段は靴支持板あるいは靴の底面に、上下方向に回動可能に取付けられたラックと、このラックと噛み合う、車輪支持体に取付けられたピ二オンと、このピニオンの回転軸に上下方向に回動可能に取付けられた該ピニオンおよび前記ラックの噛み合わせ部位を覆うように取付けられた、靴支持板の前方が下方へ回動された際に前記ラックの後端部が地面に接触しないように後方側へ移動させることができるガイドローラーを備えたチャンネル状の支持カバー体と、前記ピニオンの回転を前部車輪へ伝達する回転伝達手段とで構成されていることを特徴とする請求項１ないし３記載のローラースケート。
【発明の詳細な説明】
【０００１】
【発明の属する技術分野】
本発明はローラースケートに関する。
【０００２】
【従来の技術】
従来のローラースケートは靴の底面に複数個のローラーを取付けたものや、複数個のローラーを取付けた靴に取付けることができるように構成されたものである。
【０００３】
【発明が解決しようとする課題】
従来のローラースケートは複数個のローラーを取付けたものであるため、使用者の走行動作および、その惰性による走行であるため、効率のよい走行ができないという欠点があるとともに、面白味にかけるという欠点があった。
【０００４】
本発明は以上のような従来の欠点に鑑み、使用者の体重を利用して走行エネルギーにして、効率よく走行することができるとともに、駆動車輪での走行および惰性による走行とで、従来にない面白味のある走行が可能なローラースケートを提供することを目的としている。
【０００５】
本発明の前記ならびにそのほかの目的と新規な特徴は次の説明を添付書類と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は前後部に車輪が取付けられた車輪支持体と、この車輪支持体の後部に上方へ上部が開口するように固定されたほぼチャンネル状の支持台と、この支持台の上部寄りの部位に中央部よりも後方寄りの部位より上方へ突出する支持片の上部寄りの部位を枢支ピンによって回動可能に枢支された靴支持板と、この靴支持板に取付けられた靴支持具と、前記靴支持板の前方を下方へ回動させることにより、前記前部車輪あるいは後部車輪を駆動させる駆動手段とでローラースケートを構成している。
【０００７】
【発明の実施の形態】
以下、図面に示す実施の形態により、本発明を詳細に説明する。
【０００８】
図１ないし図９に示す本発明の第１の実施の形態において、１は使用者の体重を駆動力として利用することができる本発明のローラースケートで、このローラースケート１は、前後部に回転可能に取付けられた前後部車軸２、３の両端部に前・後部に車輪４、４、５、５が取付けられた車輪支持体６と、この車輪支持体６の後部に上方へ上部が開口するように固定されたほぼチャンネル状の支持台７と、この支持台７の上部寄りの前方部位に中央部よりも後方寄りの部位より上方へ突出する支持片８、８の上部寄りの部位を枢支ピン９、９によって回動可能に枢支された靴支持板１０と、この靴支持板１０に取付けられた靴支持具１１と、前記靴支持板１０の前方を下方へ回動させることにより、前記前部車輪４、４を駆動させる駆動手段１２とで構成されている。
【０００９】
前記車輪支持体６は上面が前方部位より後方部位が順次高くなる傾斜面に形成された金属板製の車輪支持体本体１３と、この車輪支持体本体１３の前部に取付けられたコ字状の車輪支持片１４と、この車輪支持片１４および前記車輪支持体本体１３の前部に取付けられた軸受１５、１５、１５に回転可能に取付けられた両端部に前部車輪４、４が取付けられた前部車軸２と、前記車輪支持体本体１３の後部に取付けられた軸受１６に回転可能に取付けられた両端部に前記前部車輪４、４よりも小径の後部車輪５、５が取付けられた後部車軸３とで構成されている。
【００１０】
前記支持台７は上部前部側が前方へ突出し、上部後方から後部側が円弧状になるように形成されたほぼチャンネル状の支持台本体１７と、この支持台本体１７のほぼ中央底面に一体形成された、前記車輪支持体６の後方上部が挿入され、複数本のビス１８等によって固定される取付片１９、１９とで構成されている。
【００１１】
前記靴支持板１０は使用者の靴２０を支持することができる靴支持板本体２１と、この靴支持板本体２１の中央部よりも後方寄りの部位より上方へ突出し、前記支持台７の上部寄りの前方部位に枢支ピン９、９で枢支される支持片８、８とで構成されている。
【００１２】
前記靴支持具１１は前記靴支持板本体２１の後方上部に一体形成あるいは固定された靴２０の後部を係止する係止片２２と、前記靴支持板本体２１の前方寄りの部位に幅調整可能に取付けられた靴２０の前部寄りの部位を係止する前部係止具２３とで構成されている。
【００１３】
前記駆動手段１２は前記靴支持板１０の底面の中央部より前方側に位置するように固定された先端部に遊び部２４を有するラック２５と、このラック２５と噛み合うピニオン２６と、このピニオン２６を前記ラック２５と噛み合った状態でガイドするガイド溝２７を有するガイド部材２８と、前記ピニオン２６の回転を前記前部車輪４、４へ伝達する回転伝達手段２９とで構成されている。
【００１４】
前記回転伝達手段２９は前記ピニオン２６のピニオン軸３０が先端部に回転可能に取付けられ、後端部が前記車輪支持体６の中央部よりも後部寄りの部位に回転可能に取付けられた第１の回転軸３１に回転可能に枢支された回動アーム３２と、この回動アーム３２を常時後方部位に位置するように取付けられた、一端部が該回動アーム３２の中央部に取付けられ、他端部が後方の前記車輪支持体６あるいは前記支持台７に取付けられた付勢スプリング３３と、前記ピニオン軸３０に固定された第１のタイミングプーリー３４と、この第１のタイミングプーリー３４が位置する部位の、前記第１の回転軸３１の一方に取付けられた第２のタイミングプーリー３５と、この第２のタイミングプーリー３５と前記第１のタイミングプーリー３４とに掛け渡された第１のタイミングベルト３６と、前記第１の回転軸３１の他方に取付けられた第３のタイミングプーリー３７と、この第３のタイミングプーリー３７の位置する側の前方の前記車輪支持体６に回転可能に取付けられた第２の回転軸３８と、この第２の回転軸３８の両端部寄りの部位に取付けられた第４・第５のタイミングプーリー３９、４０と、この第４のタイミングプーリー３９と前記第３のタイミングプーリー３７とに掛け渡された第２のタイミングベルト４１と、前記第２の回転軸３８の前方の前記車輪支持体６に回転可能に取付けられた第３の回転軸４２と、この第３の回転軸４２の前記第５のタイミングプーリー４０側の一方に取付けられた第６のタイミングプーリー４３と、この第６のタイミングプーリー４３と前記第５のタイミングプーリー４０とに掛け渡された第３のタイミングベルト４４と、前記第３の回転軸４２の他方に取付けられた大歯車４５と、この大歯車４５と噛み合う前記前部車軸２に取付けられた小歯車４６とで構成されている。
【００１５】
上記構成のローラースケート１は靴支持具１１、１１によって、使用者の靴２０、２０を固定する。
この状態で、一方の足を上げることにより付勢スプリング３３の付勢力によって、前部車輪４、４と車輪支持体６の前方との間が広がるように枢支ピン９、９を支点に回動した状態になるとともに、ピニオン２６はラック２５の後部に位置する。
【００１６】
この状態から前部車輪４、４を前方の地面に接地させ、足の爪先を下方へ押し付けることにより、靴支持板１０が枢支ピン９、９を支点に回動し、ラック２５に沿ってピニオン２６が前方へ移動しながら回転し、該回転力が回転伝達手段２９によって第１のタイミングプーリー３４、第１のタイミングベルト３６、第２のタイミングプーリー３５、第１の回転軸３１、第３のタイミングプーリー３７、第２のタイミングベルト４１、第４のタイミングプーリー３９、第２の回転軸３８、第５のタイミングプーリー４０、第３のタイミングベルト４４、第３の回転軸４２、大歯車４５、小歯車４６、前部車軸２を伝わって前部車輪４、４が駆動する。
【００１７】
この時、ピニオン２６がラック２５と噛み合い、前方へ移動して遊び部２４に位置するという、ラック２５とピニオン２６の噛み合いが解除され、前部車輪４、４が惰性で回転する。
また、前部車輪４、４を地面より離すことにより、付勢スプリング３３によって、ピニオン２６がラック２５との噛み合いが解除された状態で後方に自動的に戻される。
このような操作を左右の足で交互に行なうことにより、靴支持板１０の先端部が車輪支持体６方向への回動力が駆動力となって前部車輪４、４に伝わり、楽しく、楽に走行することができる。
【００１８】
【発明の異なる実施の形態】
次に、図１０ないし図３７に示す本発明の異なる実施の形態につき説明する。なお、これらの本発明の異なる実施の形態の説明に当って、前記本発明の第１の実施の形態と同一構成部分には同一符号を付して重複する説明を省略する。
【００１９】
図１０ないし図１２に示す本発明の第２の実施の形態において、前記本発明の第１の実施の形態と主に異なる点は、１個の後部車輪５を取付けられるように後部車輪取付凹部４７を形成した車輪支持体６Ａを用いた点で、このように構成したローラースケート１Ａにしても、前記本発明の第１の実施の形態と同様な作用効果が得られる。
【００２０】
図１３ないし図１５に示す本発明の第３の実施の形態において、前記本発明の第１の実施の形態と主に異なる点は、第１の回転軸３１の他方に歯車４８を取付け、該歯車４８と噛み合う遊び歯車４９、５０を介して後部車軸３に取付けられた歯車５１に伝達する回転伝達手段２９Ａによって前部車輪５、５を駆動させる駆動手段１２Ａを用いた点で、このように構成したローラースケート１Ｂは前記本発明の第１の実施の形態と同様な作用効果が得られるとともに、後部車輪５、５が駆動車輪となる。
【００２１】
図１６ないし図１８に示す本発明の第４の実施の形態において、前記本発明の第３の実施の形態と主に異なる点は、１個の前部車輪４を取付けられるように前部車輪取付凹部５２を形成した車輪支持体６Ｂを用いた点で、このように構成したローラースケート１Ｃにしても、前記本発明の第３の実施の形態と同様な作用効果が得られる。
【００２２】
図１９ないし図２１に示す本発明の第５の実施の形態において、前記本発明の第４の実施の形態と主に異なる点は、１個の後部車輪５を取付けることができる車輪支持体６Ｃを用いた点で、このように構成したローラースケート１Ｄにしても、前記本発明の第４の実施の形態と同様な作用効果が得られる。
【００２３】
図２２ないし図２４に示す本発明の第６の実施の形態において、前記本発明の第１の実施の形態と主に異なる点は、１個の前部車輪４と１個の後部車輪５とを取付けることができる車輪支持体６Ｄを用いた点で、このように構成したローラースケート１Ｅにしても、前記本発明の第１の実施の形態と同様な作用効果が得られる。
【００２４】
図２５ないし図２７に示す本発明の第７の実施の形態において、前記本発明の第１の実施の形態と主に異なる点は、靴支持板に代え、靴２０Ａを直接枢支ピン９、９で回動可能に取付けた点で、このように構成したローラースケート１Ｆにしても、前記本発明の第１の実施の形態と同様な作用効果が得られる。
【００２５】
図２８ないし図３３に示す本発明の第８の実施の形態において、前記本発明の第１の実施の形態と主に異なる点は、上面が前方部位より後方部位が順次高くなる傾斜面に形成された金属板製の左右の車輪支持体本体５３、５４、この左右の車輪支持体本体５３、５４の前部に取付けられたコ字状の車輪支持片１４Ａとからなる前後部に車輪４、４、５、５が取付けられた車輪支持体６Ｅと、この車輪支持体６Ｅの後部に上方へ上部が開口するように固定されたほぼチャンネル状の支持台７と、この支持台７の上部寄りの部位に中央部よりも後方寄りの部位より上方へ突出する支持片８Ａ、８Ａの上部寄りの部位を枢支ピン９、９によって回動可能に枢支された靴支持板１０Ａと、この靴支持板１０Ａの前方部位に前後方向にスライド移動可能に取付けられた前部係止具２３Ａ、前記靴支持板１０Ａの後方上部に一体形成あるいは固定された係止片２２、前記靴支持板１０Ａの支持片８、８の枢支ピン取付け部位に取付けられた面ファスナー５５によって固定する靴固定ベルト５６を備えた靴支持具１１Ａと、前記靴支持板１０Ａの中央部より前方側の底面に取付けられた枢支ピン５７によって上下方向に回動可能に取付けられたラック２５Ａ、このラック２５Ａと噛み合う前記車輪支持体６Ｅの略中央部に取付けられた第１の回転軸５８に回転可能に取付けられたピニオン２６Ａ、このピニオン２６Ａおよび前記ラック２５Ａの噛み合わせ部位を覆うように前記第１の回転軸５８に取付けられた、前記靴支持板１０Ａの前方側が下方へ回動された際に前記ラック２５Ａの後端部が地面に接触しないように後方側へスライド移動させることができるガイドローラー５９を備えたチャンネル状の支持カバー体６０、前記ピニオン２６Ａの回転を前記前部車輪４、４へ伝達する回転伝達手段２９Ｂによって駆動させる駆動手段１２Ｂとでローラースケート１Ｇを構成した点で、このように構成したローラースケート１Ｇにしても、前記本発明の第１の実施の形態と同様な作用効果が得られる。
なお、前記回転伝達手段２９Ｂは、前記第１の回転軸５８の前記車輪支持体本体５３と前記ピニオン２６Ａ間の部位に取付けられた、前記靴支持板１０Ａの下方への回動時には前記ピニオン２６Ａと連動して回転するとともに、該靴支持板１０Ａの上方への回動時には前記ピニオン２６Ａと連動しない第１の大歯車６１と、この第１の大歯車６１と噛み合う前記車輪支持体本体５３にボルトによって取付けられた第２の回転軸６２に取付けられた第１の小歯車６３と、この第１の小歯車６３と噛み合う前記左右の車輪支持体本体５３、５４に取付けられた第３の回転軸６４に取付けられた第２の小歯車６５と、この第２の小歯車６５と連動する前記第３の回転軸６４に取付けられた第２の大歯車６６と、この第２の大歯車６６と噛み合う前記車輪支持体本体５３に取付けられた第４の回転軸６７に取付けられた第３の小歯車６８と、この第３の小歯車６８と連動する前記第４の回転軸６７に取付けられた第１のタイミングプーリー６９と、この第１のタイミングプーリー６９が位置する部位の、前記前部車軸２に取付けられた第２のタイミングプーリー７０と、この第２のタイミングプーリー７０と前記第１のタイミングプーリー６９とに掛け渡されたタイミングベルト７１とで構成されている。
また、前記車輪支持体６Ｅの車輪支持体本体５３に取付けられた第２の回転軸６２となるボルト７２及び前記車輪支持体本体５４の前記第２の回転軸６２と対向する部位に取付けられたボルト７３とによって、前記靴支持板１０Ａが下方に回動した際に所定位置以上に下方に回動しないように回動を阻止することができるストッパー７４が取付けられている。
なお、本実施の形態のローラースケート１Ｇは、ピニオン２６Ａが前記靴支持板１０Ａの下方への回動時には第１の大歯車６１と連動し、該靴支持板１０Ａの上方への回動時には前記第１の大歯車６１と連動しないように構成されているため、走行時に踏み込んだ足を上げると、車輪支持体６Ｅや回転伝達手段２９Ｂ等の重さ等にともない、前記靴支持板１０Ａが上方に回動されるように作用するが、この場合、前記回転伝達手段２９Ｂの回転がロックした状態で前記ピニオン２６Ａのみが回転するので、効率よく元の使用状態に戻すことができる。
また、この構成であれば、走行時における靴支持板１０Ａの踏み込み状態の場合、図３３に示すように、前記ラック２５Ａと前記ピニオン２６Ａが噛み合わされた状態でロックされるが、前記回転伝達手段２９Ｂが回転するように作用するため、前部車輪４、４を適切に回転させることができる。
さらに、本実施の形態では、靴支持板１０Ａを用いたものについて説明したが、本発明はこれに限らす、靴支持板１０Ａに変えて靴２１Ａを構成したローラースケートにしてもよい。
【００２６】
図３４ないし図３７に示す本発明の第９の実施の形態において、前記本発明の第８の実施の形態と主に異なる点は、左右の車輪支持体本体５３、５４の後端部寄りの上部に所定間隔開けて取付けられた２本の支持バー７５、７５、この２本の支持バー７５、７５の両端部に上端部寄りの部位が複数のボルト７６、７６によって固定され、下端部寄りの部位に後部車輪５、５の車軸３Ａ、３Ａをそれぞれ取付けた車輪支持板７７、７７とを構成した車輪支持体６Ｆと、この車輪支持体６Ｆの２本の支持バー７５、７５の両端部に下端部寄りの部位が前記ボルト７６、７６によって固定され、上端部寄りの部位に枢支ピン９、９が取付けられた左右の支持板７８、７８によってほぼチャンネル状に形成された支持台７Ａを構成するとともに、靴支持板１０Ａの中央部より後方側の底面に取付けられた枢支ピン５７Ａによって上下方向に回動可能に取付けられたラック２５Ｂ、このラック２５Ｂと噛み合う前記車輪支持体６Ｆの中央部より後方側に取付けられた第１の回転軸５８Ａに回転可能に取付けられたピニオン２６Ａ、このピニオン２６Ａおよび前記ラック２５Ｂの噛み合わせ部位を覆うように前記第１の回転軸５８Ａに取付けられた支持カバー体６０、前記ピニオン２６Ａの回転を前記前部車輪４、４へ伝達する回転伝達手段２９Ｃによって駆動させる駆動手段１２Ｃとでローラースケート１Ｈを構成した点で、このように構成したローラースケート１Ｈにしても、前記本発明の第８の実施の形態と同様な作用効果が得られる。
なお、前記回転伝達手段２９Ｃは、前記第１の回転軸５８Ａの前記車輪支持体本体５３と前記ピニオン２６Ａ間の部位に取付けられた、前記靴支持板１０Ａの下方への回動時には前記ピニオン２６Ａと連動して回転するとともに、該靴支持板１０Ａの上方への回動時には当該ピニオン２６Ａと連動しない第１のタイミングプーリー７９と、この第１のタイミングプーリー７９が位置する部位の、前記車輪支持体６Ｆの中央部より前方側に取付けられた第２の回転軸６２Ａに回転可能に取付けられた第２のタイミングプーリー８０と、この第２のタイミングプーリー８０とに掛け渡された第１のタイミングベルト８１と、前記第２の回転軸６２Ａに取付けられ前記第２のタイミングプーリー８０と連動する大歯車８２と、この大歯車８２と噛み合う前記車輪支持体本体５３に取付けられた第３の回転軸６４Ａに取付けられた小歯車８３と、この小歯車８３と連動する前記第３の回転軸６４Ａに取付けられた第３のタイミングプーリー８４と、この第３のタイミングプーリー８４が位置する部位の、前記車軸２に取付けられた第４のタイミングプーリー８５と、この第４のタイミングプーリー８５と前記第３のタイミングプーリー８４に掛け渡された第２のタイミングベルト８６とで構成されている。
また、本実施の形態において、前記回転伝達手段２９Ｃの第１のタイミングプーリー７９と第２のタイミングプーリー８０の前記車輪支持体６Ｆへの取付け状態は、図面に示すように前後方向に距離を伴なって離間されて取付けられているが、本実施の形態ではこれに限らす、当該第１のタイミングプーリー７９と第２のタイミングプーリー８０との間に、第３のタイミングプーリー等（図示せず）を介装させて構成してもよい。
【００２７】
なお、前記本発明の各実施の形態ではタイミングプーリーとタイミングベルトを用いた回転伝達手段を用いるものについて説明したが、本発明はこれに限らず、チェーン歯車とチェーン、ベルトとプーリーを用いた回転伝達手段を用いてもよい。
また、本発明の各実施の形態では板材を用いた車輪支持体を用いるものについて説明したが、本発明はこれに限らず、回転伝達手段を内部に収納することができる薄板状の車輪支持体を用いてもよい。
【００２８】
【発明の効果】
以上の説明から明らかなように、本発明にあっては次に列挙する効果が得られる。
【００２９】
（１）前後部に車輪が取付けられた車輪支持体と、この車輪支持体の後部に上方へ上部が開口するように固定されたほぼチャンネル状の支持台と、この支持台の上部寄りの部位に中央部よりも後方寄りの部位より上方へ突出する支持片の上部寄りの部位を枢支ピンによって回動可能に枢支された靴支持板と、この靴支持板に取付けられた靴支持具と、前記靴支持板の前方を下方へ回動させることにより、前記前部車輪あるいは後部車輪を駆動させる駆動手段とで構成されているので、靴支持板の先端部を下方へ押し下げるように回動操作することにより、駆動手段によって前部車輪あるいは後部車輪を駆動させて走行することができる。
したがって、従来の車輪の惰性だけの走行に比べ、楽しく、楽に走行することができる。
【００３０】
（２）前記（１）によって、足先の押し下げ操作だけでよいので、容易に誰でもが使用することができる。
【００３１】
（３）前記（１）によって、靴支持板をブランコ状態で回動させることができるので、靴支持板の回動によって、大きな駆動力を得ることができる。
【００３２】
（４）請求項２、３、４、５も前記（１）〜（３）と同様な効果が得られる。
【図面の簡単な説明】
【図１】本発明の第１の実施の形態の平面図。
【図２】本発明の第１の実施の形態の底面図。
【図３】本発明の第１の実施の形態の正面図。
【図４】本発明の第１の実施の形態の背面図。
【図５】本発明の第１の実施の形態の右側面図。
【図６】本発明の第１の実施の形態の左側面図。
【図７】本発明の第１の実施の形態の駆動前の状態の説明図。
【図８】本発明の第１の実施の形態のピニオンの駆動状態の説明図。
【図９】ピニオンの空回転状態の説明図。
【図１０】本発明の第２の実施の形態の正面図。
【図１１】本発明の第２の実施の形態の底面図。
【図１２】本発明の第２の実施の形態の右側面図。
【図１３】本発明の第３の実施の形態の背面図。
【図１４】本発明の第３の実施の形態の底面図。
【図１５】本発明の第３の実施の形態のピニオンの駆動状態の説明図。
【図１６】本発明の第４の実施の形態の背面図。
【図１７】本発明の第４の実施の形態の底面図。
【図１８】本発明の第４の実施の形態の左側面図。
【図１９】本発明の第５の実施の形態の背面図。
【図２０】本発明の第５の実施の形態の底面図。
【図２１】本発明の第５の実施の形態の右側面図。
【図２２】本発明の第６の実施の形態の正面図。
【図２３】本発明の第６の実施の形態の底面図。
【図２４】本発明の第６の実施の形態の左側面図。
【図２５】本発明の第７の実施の形態の正面図。
【図２６】本発明の第７の実施の形態の平面図。
【図２７】本発明の第７の実施の形態の右側面図。
【図２８】本発明の第８の実施の形態の平面図。
【図２９】本発明の第８の実施の形態の底面図。
【図３０】本発明の第８の実施の形態の正面図。
【図３１】本発明の第８の実施の形態の左側面図。
【図３２】本発明の第８の実施の形態のピニオンの駆動状態の説明図。
【図３３】本発明の第８の実施の形態の走行時状態の説明図。
【図３４】本発明の第９の実施の形態の正面図。
【図３５】本発明の第９の実施の形態の底面図。
【図３６】本発明の第９の実施の形態のピニオンの駆動状態の説明図。
【図３７】本発明の第９の実施の形態の走行時状態の説明図。
【符号の説明】
１、１Ａ〜１Ｈ：ローラースケート、
２：前部車軸、          ３：後部車軸、
４：前部車輪、          ５：後部車輪、
６、６Ａ〜６Ｆ：車輪支持体、      ７、７Ａ：支持台、
８、８Ａ：支持片、                ９：枢支ピン、
１０、１０Ａ：靴支持板、          １１、１１Ａ：靴支持具、
１２、１２Ａ〜１２Ｃ：駆動手段、  １３：車輪支持体本体、
１４、１４Ａ：車輪支持片、        １５：軸受、
１６：軸受、                      １７：支持台本体、
１８：ビス、                      １９：取付片、
２０、２０Ａ：靴、                ２１：靴支持板本体、
２２：係止片、                    ２３：前部係止具、
２４：遊び部、                    ２５、２５Ａ、２５Ｂ：ラック、
２６、２６Ａ：ピニオン、          ２７：ガイド溝、
２８：ガイド部材、                ２９、２９Ａ〜２９Ｃ：回転伝達手段、
３０：ピニオン軸、          ３１：第１の回転軸、
３２：回動アーム、          ３３：付勢スプリング、
３４：第１のタイミングプーリー、  ３５：第２のタイミングプーリー、
３６：第１のタイミングベルト、    ３７：第３のタイミングプーリー、
３８：第２の回転軸、              ３９：第４のタイミングプーリー、
４０：第５のタイミングプーリー、  ４１：第２のタイミングベルト、
４２：第３の回転軸、              ４３：第６のタイミングプーリー、
４４：第３のタイミングベルト、    ４５：大歯車、
４６：小歯車、                    ４７：後部車輪取付凹部、
４８：歯車、                      ４９：遊び歯車、
５０：遊び歯車、                  ５１：歯車、
５２：前部車輪取付凹部            ５３：左の車輪支持体本体、
５４：右の車輪支持体本体、        ５５：面ファスナー、
５６：靴固定ベルト、              ５７、５７Ａ：枢支ピン、
５８、５８Ａ：第１の回転軸、      ５９：ガイドローラー、
６０：支持カバー、                ６１：第１の大歯車、
６２、６２Ａ：第２の回転軸、      ６３：第１の小歯車、
６４、６４Ａ：第３の回転軸、      ６５：第２の小歯車、
６６：第２の大歯車、              ６７：第４の回転軸、
６８：第３の小歯車、              ６９：第１のタイミングプーリー、
７０：第２のタイミングプーリー、  ７１：タイミングベルト、
７２：ボルト、                    ７３：ボルト、
７４：ストッパー、                ７５：支持バー、
７６：ボルト、                    ７７：車輪支持板、
７８：支持板、                    ７９：第１のタイミングプーリー、
８０：第２のタイミングプーリー、  ８１：第１のタイミングベルト、
８２：大歯車、                    ８３：小歯車、
８４：第３のタイミングプーリー、  ８５：第４のタイミングプーリー、
８６：第２のタイミングベルト。
【図１】
2004148041.tif 000003
【図２】
2004148041.tif 000004
【図３】
2004148041.tif 000005
【図４】
2004148041.tif 000006
【図５】
2004148041.tif 000007
【図６】
2004148041.tif 000008
【図７】
2004148041.tif 000009
【図８】
2004148041.tif 000010
【図９】
2004148041.tif 000011
【図１０】
2004148041.tif 000012
【図１１】
2004148041.tif 000013
【図１２】
2004148041.tif 000014
【図１３】
2004148041.tif 000015
【図１４】
2004148041.tif 000016
【図１５】
2004148041.tif 000017
【図１６】
2004148041.tif 000018
【図１７】
2004148041.tif 000019
【図１８】
2004148041.tif 000020
【図１９】
2004148041.tif 000021
【図２０】
2004148041.tif 000022
【図２１】
2004148041.tif 000023
【図２２】
2004148041.tif 000024
【図２３】
2004148041.tif 000025
【図２４】
2004148041.tif 000026
【図２５】
2004148041.tif 000027
【図２６】
2004148041.tif 000028
【図２７】
2004148041.tif 000029
【図２８】
2004148041.tif 000030
【図２９】
2004148041.tif 000031
【図３０】
2004148041.tif 000032
【図３１】
2004148041.tif 000033
【図３２】
2004148041.tif 000034
【図３３】
2004148041.tif 000035
【図３４】
2004148041.tif 000036
【図３５】
2004148041.tif 000037
【図３６】
2004148041.tif 000038
【図３７】
2004148041.tif 000039